【手続補正書】
【提出日】平成19年4月23日(2007.4.23)
【手続補正１】
【補正対象書類名】明細書
【補正対象項目名】発明の名称
【補正方法】変更
【補正の内容】
【発明の名称】通信装置、その制御方法および記憶媒体
【手続補正２】
【補正対象書類名】明細書
【補正対象項目名】特許請求の範囲
【補正方法】変更
【補正の内容】
【特許請求の範囲】
【請求項１】  電子メールを受信し、当該受信した電子メールに基づく画像の印刷を行う通信装置であって、
複数のユーザアカウントを登録する登録手段と、
受信した電子メールを前記登録手段で登録されたユーザアカウント毎に記憶する記憶手段と、
前記登録手段により登録可能なユーザアカウントの上限を管理する管理手段と、
前記管理手段で管理されている上限に基づき前記登録手段によるユーザアカウントの登録を制限する登録制限手段とを有することを特徴とする通信装置。
【請求項２】  前記ユーザアカウントの登録が制限された場合、その旨を知らせる報知手段を備えたことを特徴とする請求項１記載の通信装置。
【請求項３】  前記登録制限手段は、前記ユーザアカウントの数が上限値を越える場合、前記ユーザアカウントの登録を制限することを特徴とする請求項１記載の通信装置。
【請求項４】  メールサーバから電子メールを取得する取得手段と、
該取得した電子メールを記憶する記憶手段と、
前記取得手段により取得する電子メールの上限を管理する管理手段と、
前記取得手段で取得した電子メールが前記管理手段で管理している上限に達した場合に前記取得手段による電子メールの取得を中止する中止手段と、
前記記憶手段に記憶された電子メールを印刷する印刷手段とを有することを特徴とする通信装置。
【請求項５】  前記取得手段は、新しい電子メールから順番に取得することを特徴とする請求項４記載の通信装置。
【請求項６】  前記管理手段は１回の受信処理で前記取得手段により取得させるべき電子メールの件数の上限を管理することを特徴とする請求項４記載の通信装置。
【請求項７】  画像データが添付された電子メールを受信し、当該添付された画像データに基づく画像の印刷を行う通信装置の制御方法であって、
複数のユーザアカウントを登録する登録ステップと、
受信した電子メールを前記登録ステップで登録されたユーザアカウント毎に前記通信装置の記憶手段に記憶する記憶ステップと、
前記登録ステップにより登録可能なユーザアカウントの上限を管理する管理ステップと、
前記管理ステップで管理されている上限に基づき前記登録ステップによるユーザアカウントの登録を制限する登録制限ステップとを有することを特徴とする通信装置の制限方法。
【請求項８】  電子メールを受信し、当該受信した電子メールに基づく画像の印刷を行う通信装置の制御方法であって、
メールサーバから電子メールを取得する取得ステップと、
該取得した電子メールを前記通信装置の記憶手段に記憶する記憶ステップと、
前記取得ステップにより取得する電子メールの上限を管理する管理ステップと、
前記取得ステップで取得した電子メールが前記管理ステップで管理している上限に達した場合に前記取得ステップによる電子メールの取得を中止する中止ステップと、
前記記憶手段に記憶された電子メールを印刷する印刷ステップとを有することを特徴とする通信装置の制御方法。
【請求項９】  電子メールを受信し、当該受信した電子メールに基づく画像の印刷を行う通信装置を制御するコンピュータによって実行されるプログラムが格納された記憶媒体において、
前記プログラムは、
複数のユーザアカウントを登録する登録ステップと、
受信した電子メールを前記登録ステップで登録されたユーザアカウント毎に前記通信装置の記憶手段に記憶する記憶ステップと、
前記登録ステップにより登録可能なユーザアカウントの上限を管理する管理ステップと、
前記管理ステップで管理されている上限に基づき前記登録ステップによるユーザアカウントの登録を制限する登録制限ステップとを有することを特徴とする記憶媒体。
【請求項１０】  電子メールを受信し、当該受信した電子メールに基づく画像の印刷を行う通信装置を制御するコンピュータによって実行されるプログラムが格納された記憶媒体において、
前記プログラムは、
メールサーバから電子メールを取得する取得ステップと、
該取得した電子メールを前記通信装置の記憶手段に記憶する記憶ステップと、
前記取得ステップにより取得する電子メールの上限を管理する管理ステップと、
前記取得ステップで取得した電子メールが前記管理ステップで管理している上限に達した場合に前記取得ステップによる電子メールの取得を中止する中止ステップと、
前記記憶手段に記憶された電子メールを印刷する印刷ステップとを有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、例えば、電子メールおよび電子メールに添付されているファイルの送受信を行う通信装置、その制御方法および記憶媒体に関する。
【手続補正４】
【補正対象書類名】明細書
【補正対象項目名】０００９
【補正方法】変更
【補正の内容】
【０００９】
そこで、本発明は、電子メールの印刷を自動的に行う場合などにおいて、メール情報を保存する記録媒体の空きスペースが無くなってメールが受信できなくなることを回避できる通信装置、その制御方法および記憶媒体を提供することを目的とする。
【手続補正５】
【補正対象書類名】明細書
【補正対象項目名】００１０
【補正方法】変更
【補正の内容】
【００１０】
【課題を解決するための手段】
上記目的を達成するために、本発明の請求項１に記載の通信装置は、電子メールを受信し、当該受信した電子メールに基づく画像の印刷を行う通信装置であって、複数のユーザアカウントを登録する登録手段と、受信した電子メールを前記登録手段で登録されたユーザアカウント毎に記憶する記憶手段と、前記登録手段により登録可能なユーザアカウントの上限を管理する管理手段と、前記管理手段で管理されている上限に基づき前記登録手段によるユーザアカウントの登録を制限する登録制限手段とを有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項４に記載の通信装置は、メールサーバから電子メールを取得する取得手段と、該取得した電子メールを記憶する記憶手段と、前記取得手段により取得する電子メールの上限を管理する管理手段と、前記取得手段で取得した電子メールが前記管理手段で管理している上限に達した場合に前記取得手段による電子メールの取得を中止する中止手段と、前記記憶手段に記憶された電子メールを印刷する印刷手段とを有することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
請求項７に記載の通信装置の制御方法は、画像データが添付された電子メールを受信し、当該添付された画像データに基づく画像の印刷を行う通信装置の制御方法であって、複数のユーザアカウントを登録する登録ステップと、受信した電子メールを前記登録ステップで登録されたユーザアカウント毎に前記通信装置の記憶手段に記憶する記憶ステップと、前記登録ステップにより登録可能なユーザアカウントの上限を管理する管理ステップと、前記管理ステップで管理されている上限に基づき前記登録ステップによるユーザアカウントの登録を制限する登録制限ステップとを有することを特徴とする。
【手続補正１３】
【補正対象書類名】明細書
【補正対象項目名】００１８
【補正方法】変更
【補正の内容】
【００１８】
請求項８に記載の通信装置の制御方法は、電子メールを受信し、当該受信した電子メールに基づく画像の印刷を行う通信装置の制御方法であって、メールサーバから電子メールを取得する取得ステップと、該取得した電子メールを前記通信装置の記憶手段に記憶する記憶ステップと、前記取得ステップにより取得する電子メールの上限を管理する管理ステップと、前記取得ステップで取得した電子メールが前記管理ステップで管理している上限に達した場合に前記取得ステップによる電子メールの取得を中止する中止ステップと、前記記憶手段に記憶された電子メールを印刷する印刷ステップとを有することを特徴とする。
【手続補正１４】
【補正対象書類名】明細書
【補正対象項目名】００１９
【補正方法】変更
【補正の内容】
【００１９】
請求項９に記載の記憶媒体は、電子メールを受信し、当該受信した電子メールに基づく画像の印刷を行う通信装置を制御するコンピュータによって実行されるプログラムが格納された記憶媒体において、前記プログラムは、複数のユーザアカウントを登録する登録ステップと、受信した電子メールを前記登録ステップで登録されたユーザアカウント毎に前記通信装置の記憶手段に記憶する記憶ステップと、前記登録ステップにより登録可能なユーザアカウントの上限を管理する管理ステップと、前記管理ステップで管理されている上限に基づき前記登録ステップによるユーザアカウントの登録を制限する登録制限ステップとを有することを特徴とする。
【手続補正１５】
【補正対象書類名】明細書
【補正対象項目名】００２０
【補正方法】変更
【補正の内容】
【００２０】
請求項１０に記載の記憶媒体は、電子メールを受信し、当該受信した電子メールに基づく画像の印刷を行う通信装置を制御するコンピュータによって実行されるプログラムが格納された記憶媒体において、前記プログラムは、メールサーバから電子メールを取得する取得ステップと、該取得した電子メールを前記通信装置の記憶手段に記憶する記憶ステップと、前記取得ステップにより取得する電子メールの上限を管理する管理ステップと、前記取得ステップで取得した電子メールが前記管理ステップで管理している上限に達した場合に前記取得ステップによる電子メールの取得を中止する中止ステップと、前記記憶手段に記憶された電子メールを印刷する印刷ステップとを有することを特徴とする。
【手続補正１６】
【補正対象書類名】明細書
【補正対象項目名】００２１
【補正方法】変更
【補正の内容】
【００２１】
【発明の実施の形態】
本発明の通信装置、その制御方法および記憶媒体の実施の形態について説明する。図１は実施の形態における通信装置の構成を示す図である。通信装置は、リーダ部１、プリンタ部２および画像入出力制御部３を備える。